(57)【要約】【課題】従来の洗濯はさみはバネの反発力を利用して強力に保持しうるような構造となっているので指先でつまみ部を押して開閉し洗濯物を着脱しているがバネの力が強く高齢者や手の不自由な人には大変な負担であるので入れて抜くだけの簡単な洗濯はさみを提供する。【解決手段】１弾性の基板に単又は複数のＹ字形状の切り込みを垂直方向に付けて咬持部を設ける。２基板の切り込みの先端部を曲折する。３複数の咬持部を設けた基板の要部にヒンジ部を設けて折りたたみ方式にする。４複数の咬持部を設けた基板の両端部等に調節用の小穴をあけてカードリング等の取り付け手段を講じる。【選択図】図１
2014226539.tif 000002
【特許請求の範囲】
【請求項１】
弾性の基板に単または複数のＹ字形状の切り込みを垂直方向に付けて咬持部を設けたことを特徴とする洗濯はさみ。
【請求項２】
基板の切り込みの端部を曲折したことを特徴とする請求項１の洗濯はさみ。
【請求項３】
複数の咬持部を設けた枠体の要部にヒンジ部を設けて折りたたみ方式にしたことを特徴とする請求項１、２の洗濯はさみ。
【請求項４】
複数の咬持部を設けた基板の両端部等に調整用の小穴をあけてカードリング等の取り付け手段を講じたことを特徴とする請求項１、２の洗濯はさみ。
【発明の詳細な説明】
【技術分野】
【０００１】本発明は洗濯物の装着及び脱着が容易な洗濯はさみ。
【背景技術】
【０００２】  洗濯はさみはバネの反発力を利用し強力に保持しうるような構造となっているので指先でつまみ部を押して開閉し洗濯物を着脱している。
一方バネなしの洗濯はさみも情報公開されている。
【先行技術文献】
【０００３】
【特許文献】
【特許文献】実用新案登録３１７６５６２
【発明の概要】
【発明が解決しようとする課題】
【０００４】  従来の洗濯はさみは重量のある洗濯物にも耐えるべくバネの力を強くする必要があるが開閉の際にバネの力を上回る力が必要となり、特に握力の弱い高齢者や手の不自由な人には大変な作業であった。【０００５】  一方引用文献に靴下止め付きのハンガーが公開されているが図面によると切り込みがそれぞれ傾斜状に配列しているが小物用として使用する場合は垂直状にしなければ挿入や取り込み方向に問題が生じる、また隙間約１ｍｍとしているがハンカチ布等の薄い場合は抜け落ちる恐れがある。【０００６】  本発明はこのような従来の洗濯はさみ等の諸問題を解決し洗濯物を干すという日常繰り返される作業の洗濯物の着脱が敏速かつ容易にでき、また薄いものから厚いものまで確実に保持でき入れて抜くだけの簡単な小物用洗濯はさみを提供することを目的とする。
【問題を解決しようとする手段】
【０００７】  弾性の基板に単又は複数のＹ字形状の切り込みを垂直方向に付けて咬持部を設けたことを特徴とする。
【０００８】  基板の切り込みの先端部を曲折する。
【０００９】  複数の咬持部を設けた基板の要部にヒンジ部を設けて折りたたみ方式にする。
【００１０】  複数の咬持部を設けた基板の両端部等に調節用の小穴をあけてカードリング等の取り付け手段を講じる。
【００１１】  以下実施例を記載する。
咬持部を１つ設けた基板の上部に小穴をつけ従来のバネ式洗濯はさみ同様枠体にぶら下げて使用する。［図１］［図２］
【００１２】  複数の咬持部を設けた基板を４角形の枠体にして要部にヒンジ部を設け折りたたみ式の小物用ハンガーとして使用する。［図３］［図４］
【００１３】  ハンガーの下部に複数の咬持部を設けた基板を成型して通常の洗濯ハンガーと小物用洗濯はさみと兼用とする。
【００１４】  複数の咬持部を設けた基板の両端部等に調整用の小穴を数個あけてカードリング等での取り付け手段を講じてアタッチメントにとする。［図５］
【発明の効果】
【００１５】１  Ｙ字形状の切り込み部に洗濯物を入れて抜くだけで良く指先の力の弱い高齢者でも容    易に使用できる。
２  アタッチメント型はメーカーの異なるハンガーやパラソルハンガー等に取り付けると    小物用も使用することができる。
３  洗濯ハンガーの下部に成型したものは小物用と兼用でき並列すると連結干しもできる    。またクリップ形ハンガーに成型すると片手干しもできる。
４  枠体式のハンガーは枠体に直接洗濯はさみが成型しているので絡むことが無く使用後    はヒンジにより折りたたみが容易で場所をとらない。
【図面の簡単な説明】
【００１６】
【図１】ぶら下げ形の基板の斜視図
【図２】ぶら下げ形の使用方法の斜視図
【図３】折りたたみ方式のハンガーの斜視図
【図４】折りたたみ中の斜視図
【図５】アタッチメント方式の斜視図
【発明を実施するための形態】
【００１７】１、弾性の基板に単又は複数のＹ字形状の切り込みを垂直方向につけ咬持部を設ける
これは布が水分を含むと、イ重たくなり先端部を持ちぶら下げると垂直状体になる。    ロ柔軟になり滑り易くなる等の性質がある。この性質を利用して本発明は弾性の基板    に設けたＹ字形状の切り込みに洗濯物を挿入すると水分が潤滑油の役目を果たし滑り    込むが縦長の切り込み部が狭窄のため左右の基板が上下に撓みこの復元力により咬持    されるのが特徴である。
【００１８】基板の切り込みの先端部を曲折する。
この曲折はＹ字形状の切り込みと共に洗濯物を容易に挿入するための案内用で挿入すると曲折により基板の撓む方向が予め決まっているので抵抗がなく挿入できる。
【００１９】任意の形状の基板に小穴を開けてぶら下げ具等で切り込み部が下になるようにして従来のバネ式洗濯はさみと同様に枠体にぶら下げて使用する。この任意の形状とは基本の形状は長方形であるが例えば蝶やクローバ等で咬持部が設けられれば良く従来の変哲のないバネ式の洗濯はさみと比し楽しい形状となる。
【００２０】複数の咬持部を設けた基板を四角形状等の枠体にしてその４隅と相対する２枚の基板の中央部にヒンジ部を設けて折りたたみのできる小物用ハンガーにする。
【００２１】複数の咬持部を設けた基板を直接洗濯ハンガーの下部に成型して小物用と兼用できまた竿に固定するクリップ形のハンガーでは片手で洗濯物の操作ができる。
【００２２】複数の咬持部設けた基板の両端部等に調整用の小穴を数個開けてカードリング等で取り付け手段を講じてアタッチメントとしパラソルハンガーや洗濯ハンカー等に取り付けて小物用にも使用できるようにする。
【００２３】使用例では基板は弾性のプラスチックで厚みは１ｍｍＹ字形状の切り込みの長さは約５０ｍｍで隙間は約０．２ｍｍを設けている。
なお図面ではＹ字形字状の１端を直線状にしているがこれはスムーズに挿入し易いためである。
【００２４】これを使用する時は片手で基板を持ちＹ字形状の切り込み部に洗濯物の先端部をそう挿入すると縦長の切り込み部が狭窄のため左右の基板が上下の撓みこの復元力で咬持されるので強風に洗濯物が揺れ動いても外れることはない。
また取り外す場合は洗濯物を掴み下部に抜き取れば容易に外すことができる。
【００２５】この発明の咬持方法では挿入方向と逆方向以外には抜き取りが困難で咬持部を垂直方向にすることにより洗濯物を入れて抜くだけの簡単な洗濯はさみとなる。
【符号の説明】
【００２６】１    基板
２    Ｙ字形状の切り込み
３    小穴
４    ヒンジ
５    カードリング
６    洗濯物
【図１】
2014226539.tif 000003
【図２】
2014226539.tif 000004
【図３】
2014226539.tif 000005
【図４】
2014226539.tif 000006
【図５】
2014226539.tif 000007